(57)【特許請求の範囲】
【請求項１】
カートリッジに収納された光記録媒体に記録された情報を読み出し可能な光記憶装置であって、
ベースと；
前記ベースに搭載された光源と；
前記光源からの光を前記光記録媒体上に集光する対物レンズを有する光学ヘッドと；
前記光記録媒体からの反射光から再生信号を検出する前記ベースに搭載された光検出器と；
前記光記憶装置内に挿入された前記カートリッジを保持する主面を有するカートリッジホルダと；
前記カートリッジホルダの第１側近傍に、前記主面と実質上平行な回動軸回りに回動可能に取り付けられた、該カートリッジホルダの概略縦方向に伸長する第１カートリッジ押さえバネと；
前記カートリッジホルダの第１の側と反対側の第２の側近傍に、前記主面と実質上平行な回動軸回りに回動可能に取り付けられた、該カートリッジホルダの概略縦方向に伸長する第２カートリッジ押さえバネとを具備し；
前記第１及び第２カートリッジ押さえバネはそれぞれ両端に突起を有しているとともに、
前記第１及び第２カートリッジ押さえバネはそれぞれ回動軸に対してカートリッジ挿入方向手前側が奥側より軽い重量バランスを有していることを特徴とする光記憶装置。
【請求項２】
前記第１カートリッジ押さえバネはそれぞれ穴を有する一対の第１立ち曲げ部を有し、前期第２カートリッジ押さえバネはそれぞれ穴を有する一対の第２立ち曲げ部を有しており、
前記カートリッジホルダはそれぞれ穴を有する一対の第３立ち曲げ部と、それぞれ穴を有する一対の第４立ち曲げ部とを有しており、
前記第１カートリッジ押さえバネは前記第１及び第３立ち曲げ部の穴中に挿入された第１ピンにより回動可能に支持されており、前記第２カートリッジ押さえバネは前記第２及び第４立ち曲げ部の穴中に挿入された第２ピンにより回動可能に支持されている請求項１記載の光記憶装置。
【請求項３】
前記第１ピンは前記第３立ち曲げ部に固定されており、前記第２ピンは前記第４立ち曲げ部に固定されている請求項２記載の光記憶装置。
【請求項４】
前記第１ピンは前記第１立ち曲げ部に固定されており、前記第２ピンは前記第２立ち曲げ部に固定されている請求項２記載の光記憶装置。
【請求項５】
前記第１及び第２カートリッジ押さえバネはそれぞれ樹脂モールドから形成されており、
前記第１ピンは前記第１カートリッジ押さえバネに樹脂モールドにより一体成形されており、前記第２ピンは前記第２カートリッジ押さえバネに樹脂モールドにより一体成形されている請求項２記載の光記憶装置。
【請求項６】
前記第１及び第２カートリッジ押さえバネはそれぞれ金属から形成されており、
前記第１ピンは前記第１カートリッジ押さえバネと一体的に形成され、前記第２ピンは前記第２カートリッジ押さえバネと一体的に形成されている請求項２記載の光記憶装置。
【請求項７】
前記第１及び第２カートリッジ押さえバネの板厚はそれぞれ０．５ｍｍ以下であり、前記第１及び第２ピンの幅はそれぞれ前記板厚の３倍以下である請求項６記載の光記憶装置。
【請求項８】
前記第１カートリッジ押さえバネは一対の第１ブリッジ部分を残して形成された第１スリットにより前記カートリッジホルダと一体的に形成されており、
前期第２カートリッジ押さえバネは一対の第２ブリッジ部分を残して形成された第２スリットにより前記カートリッジホルダと一体的に形成されている請求項１記載の光記憶装置。
【請求項９】
前記カートリッジホルダの板厚は０．５ｍｍ以下であり、前期第１および第２ブリッジ部分の幅はそれぞれ前記板厚の三倍以下である請求項８記載の光記憶装置。
【請求項１０】
記憶装置のカートリッジ保持機構であって、
ベースと；
前記ベースと協働して前記記憶装置内に挿入された記録媒体カートリッジを保持する主面を有するカートリッジホルダと；
前記カートリッジホルダの第１の側近傍に、前記主面と実質上平行な回動軸回りに回動可能に取り付けられた、該カートリッジホルダの概略縦方向に伸長する第１カートリッジ押さえバネと；
前記カートリッジホルダの第１の側と反対側の第２の側近傍に、前記主面と実質上平行な回動軸回りに回動可能に取り付けられた、該カートリッジホルダの概略縦方向に伸長する第２カートリッジ押さえバネとを具備し；
前記第１及び第２カートリッジ押さえバネはそれぞれ両端に突起を有しているとともに、
前記第１及び第２カートリッジ押さえバネはそれぞれ回動軸に対してカートリッジ挿入方向手前側が奥側より軽い重量バランスを有していることを特徴とするカートリッジ保持機構。
【発明の詳細な説明】
【０００１】
【発明の属する技術分野】
本発明は一般的に光記憶装置に関し、特に、光記憶装置用カートリッジ保持機構に関する。
【０００２】
【従来の技術】
光ディスクは近年急速に発展するマルチメディア化の中で中核となるメモリ媒体として脚光を浴びており、通常カートリッジの中に収容された状態で使用される。
【０００３】
光ディスクカートリッジが光ディスク装置内にローディングされ、光ピックアップ（光学ヘッド）により光ディスクへのデータ（情報）のライト／リードが行われる。
【０００４】
最近の光ディスク装置は小型化を実現するため、レーザダイオードモジュール、レーザビームの反射及び透過を行うビームスプリッタ、光ディスクからの反射光を受光する光検出器等を含んだ固定光学アセンブリと、キャリッジ及びキャリッジに取り付けられた対物レンズを有する光学ヘッドを含んだ移動光学アセンブリとから構成される。
【０００５】
キャリッジはボイスコイルモータにより一対のレールに沿って光ディスクの半径方向に移動される。固定光学アセンブリに取り付けられたレーザダイオードモジュールから出射されたライトパワーのレーザビームはコリメータレンズによりコリメートされた後偏光ビームスプリングを透過し、光学ヘッドのビーム立ち上げミラーにより反射されて対物レンズにより光ディスク上にフォーカスされ、光ディスクにデータが書き込まれる。
【０００６】
一方、データの読み出しは、光ディスクにリードパワーのレーザビームを照射することにより行われる。光ディスクからの反射光は対物レンズによりコリメートビームにされた後、固定光学アセンブリの偏光ビームスプリッタにより反射され、この反射光が光検出器で検出されて電気信号に変換される。
【０００７】
一般的に、光ディスクカートリッジを光ディスク装置内で保持するためにカートリッジホルダが使用される。更に、振動・衝撃によるカートリッジホルダ内でのカートリッジの遊び（暴れ）を防ぐために、カートリッジホルダにはカートリッジを保持するための別部品からなるバネ機構が取り付けられている。
【０００８】
しかし、光ディスクはリムーバブル媒体であるため、カートリッジの製造メーカーの違いによる若干の寸法ばらつき、材料の違い、表面の仕上げ具合の違い、カートリッジの使用頻度（挿抜回数）の違い等によるカートリッジ表面と、カートリッジホルダ及びドライブベース等の摺動部材との間で発生する摩擦力のばらつきにより、同一装置においてもカートリッジの排出量にばらつきが発生しやすい問題を有している。
【０００９】
このカートリッジ排出量のばらつきを抑えるために、従来技術では、カートリッジを保持するためのバネ機構のバネ力の変化をできるだけ小さくするよう工夫したり、排出途中でカートリッジを引っ掛けて止めるフック機構やブレーキ機構を設けて対応している。
【００１０】
【発明が解決しようとする課題】
このような別部品からなるバネを用いた従来のカートリッジ保持機構においては、部品点数の増加、部品取り付けによる工数の増加、部品管理工数の増加等によりコスト高になるという問題を有していた。
【００１１】
よって本発明の目的は、カートリッジを装置内で安定して保持できると共に、カートリッジ排出の際に安定した摩擦力を得ることのできる光記憶装置のカートリッジ保持機構を提供することである。
【００１２】
【課題を解決するための手段】
本発明によると、カートリッジに収納された光記録媒体に記録された情報を読み出し可能な光記憶装置であって、ベースと；前記ベースに搭載された光源と；前記光源からの光を前記光記録媒体上に集光する対物レンズを有する光学ヘッドと；前記光記録媒体からの反射光から再生信号を検出する前記ベースに搭載された光検出器と；前記光記憶装置内に挿入された前記カートリッジを保持する主面を有するカートリッジホルダと；前記カートリッジホルダの第１側近傍に、前記主面と実質上平行な回動軸回りに回動可能に取り付けられた、該カートリッジホルダの概略縦方向に伸長する第１カートリッジ押さえバネと；前記カートリッジホルダの第１の側と反対側の第２の側近傍に、前記主面と実質上平行な回動軸回りに回動可能に取り付けられた、該カートリッジホルダの概略縦方向に伸長する第２カートリッジ押さえバネとを具備し；前記第１及び第２カートリッジ押さえバネはそれぞれ両端に突起を有しているとともに、前記第１及び第２カートリッジ押さえバネはそれぞれ回動軸に対してカートリッジ挿入方向手前側が奥側より軽い重量バランスを有していることを特徴とする光記憶装置が提供される。
【００１４】
第１カートリッジ押さえバネはそれぞれ穴を有する一対の第１立ち曲げ部を有しており、第２カートリッジ押さえバネはそれぞれ穴を有する一対の第２立ち曲げ部を有している。カートリッジホルダにはそれぞれ穴を有する一対の第３立ち曲げ部と、それぞれ穴を有する一対の第４立ち曲げ部が形成されている。
【００１５】
第１ピンを第１及び第３立ち曲げ部の穴中に挿入することにより、第１カートリッジ押さえバネが回動可能に支持されている。第２ピンを第２及び第４立ち曲げ部の穴中に挿入することにより、第２カートリッジ押さえバネが回動可能に支持されている。
【００１６】
第１及び第２カートリッジ押さえバネはステンレス鋼、リン青銅などの金属から形成されるのが望ましい。樹脂モールドにより、第１及び第２カートリッジ押さえバネを形成することもできる。この場合には、第１ピンは第１カートリッジ押さえバネと一体的に成形し、第２ピンは第２カートリッジ押さえバネと一体的に成形する。
【００１７】
本発明の他の側面によると、記憶装置のカートリッジ保持機構であって、ベースと；前記ベースと協働して前記記憶装置内に挿入された記録媒体カートリッジを保持する主面を有するカートリッジホルダと；前記カートリッジホルダの第１の側近傍に、前記主面と実質上平行な回動軸回りに回動可能に取り付けられた、該カートリッジホルダの概略縦方向に伸長する第１カートリッジ押さえバネと；前記カートリッジホルダの第１の側と反対側の第２の側近傍に、前記主面と実質上平行な回動軸回りに回動可能に取り付けられた、該カートリッジホルダの概略縦方向に伸長する第２カートリッジ押さえバネとを具備し；前記第１及び第２カートリッジ押さえバネはそれぞれ両端に突起を有しているとともに、前記第１及び第２カートリッジ押さえバネはそれぞれ回動軸に対してカートリッジ挿入方向手前側が奥側より軽い重量バランスを有していることを特徴とするカートリッジ保持機構が提供される。
【００１９】
【発明の実施の形態】
図１を参照すると、本発明が適用される光磁気ディスク装置１０の上面側の斜視図が示されている。図２は光磁気ディスク装置１０の裏面側斜視図である。
【００２０】
この光磁気ディスク装置１０には光磁気ディスクがカートリッジ内に収納された光磁気ディスクカートリッジ１４が挿入され、光磁気ディスク装置１０はこの光磁気ディスクカートリッジ１４内の光磁気ディスクに対してデータのライト／リードを行う。
【００２１】
光磁気ディスク装置１０内には光磁気ディスクカートリッジ１４のロード／イジェクト機構、光磁気ディスクを回転させるスピンドルモータ、バイアス磁界発生機構、ポジショナ、固定光学アセンブリ及び移動光学アセンブリが内蔵されている。
【００２２】
光磁気ディスクカートリッジ１４は光磁気ディスク装置１０の挿入口１２から光磁気ディスク装置１０内に挿入される。符号１３は光磁気ディスクカートリッジを排出するためのイジェクトボタンである。
【００２３】
図３（Ａ）及び図３（Ｂ）は光磁気ディスク装置１０に挿入される光磁気ディスクカートリッジ１４の構造を示すものである。図１に示した光磁気ディスクカートリッジ１４は表側であり、図３（Ａ）及び図３（Ｂ）は光磁気ディスクカートリッジ１４の裏側を示している。
【００２４】
図３（Ａ）に示すように、光磁気カートリッジ１４のカートリッジケース１６にはシャッター１８が設けられており、このシャッター１８の端部にはシャッター開アーム２０が取り付けられている。カートリッジケース１６の一端には光磁気ディスクへの書き込みを禁止するライトプロテクタ２２が設けられている。
【００２５】
シャッター開アーム２０の端部２０ａが後述するスライダによって押されると、シャッター１８がカートリッジケース１６の上をスライドして開く。図３（Ｂ）はシャッター１８が全開された状態の光磁気ディスクカートリッジ１４を示している。
【００２６】
カートリッジケース１６の中には、データの記録媒体である光磁気ディスク２４が収納されている。この光磁気ディスク２４はその中央部にあるハブ２６が後述するスピンドルモータにチャッキングされて回転するようになっている。
【００２７】
カートリッジケース２６の底面側の後端部近傍の両側には、光磁気ディスクカートリッジ１４の光磁気ディスク装置１０内の位置決めを行うために２つの基準穴２８，３０が設けられている。一方の基準穴２８は丸穴であり、他方の基準穴３０は長穴である。
【００２８】
図４はカートリッジ挿入口１２から光磁気ディスクカートリッジ１４が挿入された直後の状態を示す平面図である。ドライブベース３２上に装置内に挿入された光磁気ディスクカートリッジ１４を収容するカートリッジホルダ３４が取り付けられている。
【００２９】
ドライブベース３２には一対の磁気回路３６、一対のガイドレール３８、レーザダイオード及び光検出器等を有する固定光学アセンブリ４０、スピンドルモータ４２等が搭載されている。符号４４は対物レンズを有する光学ヘッド４６を担持したキャリッジであり、磁気回路３６に対応する位置に一対のコイル４８を具備している。
【００３０】
磁気回路３６とコイル４８とでボイスコイルモータ（ＶＣＭ）が構成され、コイル４８に電流を流すと、キャリッジ４４が一対のガイドレール３８に案内されて光磁気ディスク２４の半径方向に移動する。
【００３１】
符号５０はバックヨーク５２、図示しないセンターヨーク、コイル等から構成されたバイアス磁界発生機構であり、光学ヘッド４６の移動範囲をカバーするようにカートリッジホルダ３４に取り付けられている。
【００３２】
カートリッジホルダ３４にガイド溝５４が形成されている。ガイド溝５４はカートリッジ挿入口１２の端部から内側に向かって斜めに形成され、途中から曲げられて光磁気ディスク装置１０の長手方向に平行になっている。
【００３３】
ガイド溝５４には第１のスライダー５６と第２のスライダー５８とが摺動可能にはめ込まれている。第２のスライダー５８はカートリッジ排出バネ６０で第１のスライダー５６と連結されている。
【００３４】
第２のスライダー５８とカートリッジホルダ３４との間にも図示しないカートリッジ排出バネが設けられている。第２のスライダー５８は第１のスライダー５６の移動に伴って装置の奥側へ移動して行く。
【００３５】
光磁気ディスクカートリッジ１４がカートリッジ挿入口１２から光磁気ディスク装置１０内に挿入されると、光磁気ディスクカートリッジ１４のシャッター１８に取り付けられたシャッター開アーム２０の端部２０ａに第１のスライダー５６が当接する。
【００３６】
この状態から光磁気ディスクカートリッジ１４が押されて光磁気ディスク装置１０の中に挿入されていくと、挿入されるにつれて第１のスライダー５６が内側に移動し、この第１のスライダー５６の移動によってシャッター開アーム２０が押され、シャッター１８が開いていく。
【００３７】
図５は、図４の状態から光磁気ディスク装置１０に光磁気ディスクカートリッジ１４が完全に挿入され、シャッター１８が全開になった状態を示している。
【００３８】
このように、光磁気ディスクカートリッジ１４が光磁気ディスク装置１０の中に挿入されると、光磁気ディスクカートリッジ１４のシャッターは第１のスライダー５６によって自動的に開かれる。
【００３９】
図６を参照すると、カートリッジホルダ３４の平面図が示されている。カートリッジホルダ３４の右サイド近傍には開口６４が形成されている。
【００４０】
図８に最も良く示されるように、カートリッジホルダ３４は開口６４を挟んでそれぞれ穴を有する一対の立ち曲げ部６６を有している。符号６８はカートリッジ押さえバネであり、それぞれ穴を有する一対の立ち曲げ部７０を有している。
【００４１】
カートリッジホルダ３４の立ち曲げ部６６及びカートリッジ押さえバネ６８の立ち曲げ部７０の穴中にピン７２を挿入することにより、カートリッジ押さえバネ６８は回動可能に支持される。ピン７２と立ち曲げ部６６の間は固定しても良い。或いは、ピン７２と立ち曲げ部７０との間を固定しても良い。
【００４２】
カートリッジ押さえバネ６８の両端部にはそれぞれカートリッジホルダ３４の下側に突出する突起７４，７６が形成されている。突起７４，７６の高さは約１．２〜１．５ｍｍである。
【００４３】
好ましくは、カートリッジ押さえバネ６８は、回動中心に対してカートリッジ挿入方向手前側が奥側より軽い重量バランスを有している。よって、カートリッジ押さえバネ６８はカートリッジホルダ３４内にカートリッジが挿入されていないときには、図８で反時計回り方向に回動する。
【００４４】
しかし、上述したカートリッジ押さえバネ６８の重量バランスは本発明の必須構成要件ではない。即ち、カートリッジ排出時に突起７６がカートリッジから外れると、カートリッジを押さえようとするバネ力が解除されるため、カートリッジ押さえバネ６８が十分に軽い場合には、カートリッジ排出の際のカートリッジ押さえバネ６８とカートリッジとの間の摺動摩擦が非常に小さくなるため、カートリッジの安定した排出量を得ることが出来る。
【００４５】
カートリッジ押さえバネ６８は、好ましくはステンレス鋼から形成されている。リン青銅等の他の金属も採用可能であり、樹脂モールドから形成するようにしても良い。樹脂のモールド成形の場合には、一対の立ち曲げ部７０及び突起７４，７６も一体的に成形する。
【００４６】
カートリッジホルダ３４の左サイド近傍には比較的大きな開口７８が形成されている。カートリッジホルダ３４は更に、開口７８を間に挟んでそれぞれ穴を有する一対の立ち曲げ部８０を有している。符号８２はカートリッジ押さえバネであり、それぞれ穴を有する一対の立ち曲げ部８４を有している。
【００４７】
カートリッジホルダ３４の立ち曲げ部８０及びカートリッジ押さえバネ８２の立ち曲げ部８４の穴中にピン８６を挿入することにより、カートリッジ押さえバネ８２は回動可能に支持される。
【００４８】
カートリッジ押さえバネ６８の回動支持と同様に、ピン８６と立ち曲げ部８０との間は固定しても良い。或いは、ピン８６と立ち曲げ部８４との間を固定しても良い。
【００４９】
カートリッジ押さえバネ８２の両端部にはカートリッジホルダ３４の裏側に突出する突起８８，９０が形成されている。突起８８，９０の高さは約１．２〜１．５ｍｍである。
【００５０】
好ましくは、カートリッジ押さえバネ８２は、回動中心に対してカートリッジ挿入方向手前側が奥側よりも軽い重量バランスを有している。よって、カートリッジホルダ３４内にカートリッジが挿入されていない状態においては、突起８８側が上昇されている。しかし、カートリッジ押さえバネ６８についての説明と同様に、カートリッジ押さえバネ８２の上述した重量バランスは本発明では必須ではない。
【００５１】
符号６２は、バイアス磁界発生装置取り付け部を示しており、ここにバックヨーク５２、センターヨーク及びコイル等からなるバイアス磁界発生装置５０が搭載される。
【００５２】
図５は光磁気ディスク装置１０内へのカートリッジ１４の挿入完了状態を示しており、この状態ではスピンドルモーター４２が上昇して光磁気ディスク２４のハブ２６をチャッキングする。
【００５３】
カートリッジ押さえバネ６８の突起７４，７６及びカートリッジ押さえバネ８２の突起８８，９０はカートリッジ１４に圧接し、カートリッジ１４は光磁気ディスク装置１０のベース３２に押しつけられる。
【００５４】
この状態でスピンドルモーター４２により光磁気ディスク２４を回転させながら、光磁気ディスク２４に対するデータのライト／リードは行われる。カートリッジ１４を光磁気ディスク装置１０から排出したい場合には、オペレーターはイジェクトボタン１３を押す。
【００５５】
これにより、図示しないロックは解除され、光磁気ディスクカートリッジ１４はカートリッジ排出バネ６０の付勢力により排出される。カートリッジの排出時の作用を図９（Ａ）及び図９（Ｂ）を参照して説明する。
【００５６】
図９（Ａ）はカートリッジ１４がロードされ、カートリッジ押さえバネ６８に設けられた突起７４，７６によりカートリッジ１４をベース３２に対して押え付けている状態を示している。特に図示しないが、カートリッジ押さえバネ８２も同様にカートリッジ１４をベース３２に対して押え付けている。
【００５７】
このとき、装置仕様で規定されている振動及び衝撃に対してカートリッジ１４がカートリッジホルダ３４内で暴れないだけの力が、カートリッジ押さえバネ６８，８２の撓み量によりカートリッジ１４に加わる設定となっている。
【００５８】
図９（Ｂ）は、カートリッジ１４が排出され出し、カートリッジ押さえバネ６８の奥側〈後ろ側〉の突起７６がカートリッジ１４から外れた状態を示している。
【００５９】
この状態では、本発明の好ましい実施形態によると、カートリッジ押さえバネ６８は回動中心に対して手前側〈前側〉が軽いため、前側が浮きカートリッジ１４にはカートリッジ押さえバネ６８の力が全く加わらない状態にある。
【００６０】
図６を参照すると明らかなように、カートリッジ押さえバネ６８の突起７６とカートリッジ押さえバネ８２の突起９０とはカートリッジ３４の幅方向に概略整列して配置されている。
【００６１】
よって、カートリッジ１４の排出時にカートリッジ押さえバネ６８の突起７６がカートリッジから外れるのとほぼ同時に、カートリッジ押さえバネ８２の突起９０もカートリッジから外れることになる。その結果、カートリッジ１４がある位置まで排出されると、カートリッジ１４にはカートリッジ押さえバネ６８及び８２の力が全く加わらない状態になる。
【００６２】
従来のカートリッジ保持機構では、カートリッジが光ディスク装置から取り出される直前までカートリッジにバネ力が加わっていたが、本実施形態ではカートリッジ１４が僅かに排出され出した時点で、カートリッジに加わるバネ力は無くなり、カートリッジとカートリッジ押さえバネとの間の摩擦力の働く距離を短くすることができる。その結果、摩擦力のばらつきの影響を抑えられ、カートリッジの排出安定性が向上する。
【００６３】
図１０（Ａ）および（Ｂ）はカートリッジ押さえバネの他の実施形態を示している。図１０（Ａ）はカートリッジ押さえバネ９２とピン９４を一体化した板金製カートリッジ押さえバネの一例を示すものであり、両端部に突起９６，９８を有している。
【００６４】
カートリッジ押さえバネ９２の板厚をｔ、ピン９４の幅をｗ１とすると、板厚ｔは０．５ｍｍ以下が好ましく，ｗ１≦３ｔとすることにより、カートリッジ押さえバネ９２はピン９４回りに回動可能となる。
【００６５】
アウトサートモールドによりピン９４に樹脂を被覆すると、カートリッジ押さえバネ９２はピン９４回りにより回動しやすくなる。
【００６６】
図１０（Ｂ）はカートリッジ押さえバネ１００をカートリッジホルダ３４と一体的に形成した例を示している。カートリッジホルダ３４に一対のブリッジ部１０４を残してスリット１０２を切ることにより、カートリッジホルダ３４と一体的なカートリッジ押さえバネ１００が画成される。カートリッジ押さえバネ１００の両端部には突起１０６，１０８が形成されている。
【００６７】
カートリッジ押さえバネ１００の板厚をｔ、ブリッジ部１０４の幅をw２とすると、板厚ｔは０．５ｍｍ以下が好ましく、ｗ２≦３ｔと設定する。さらに、突起１０６側が僅かばかり上昇するように、カートリッジ押さえバネ１００をブリッジ部１０４を中心にして僅かばかりねじっておく。
【００６８】
このように設定すると、カートリッジがロードされた状態では、カートリッジ押さえバネ１００がカートリッジをドライブベース３２に対して押さえつけてこれを保持することができる。
【００６９】
カートリッジが所定位置まで排出され、突起１０８がカートリッジから外れると、カートリッジ押さえバネ１００の力がカートリッジに全く加わらなくなるため、上述した実施形態と同様にカートリッジ排出の際の摩擦力のばらつきを押さえられ、カートリッジの排出安定性が向上する。
【００７０】
【発明の効果】
本発明は以上詳述したように構成したので、カートリッジ排出の際の安定した所望の摩擦力を得ることができるため、カートリッジの排出安定性が向上する。さらに、部品点数を削減した安価なカートリッジ保持機構を提供可能である。
【図面の簡単な説明】
【図１】光磁気ディスク装置の上面側外観斜視図である。
【図２】光磁気ディスク装置の裏面側外観斜視図である。
【図３】図３（Ａ）はシャッターが閉じた状態の光磁気ディスクカートリッジの斜視図であり、図３（Ｂ）はシャッターが開いた状態の光磁気ディスクカートリッジの斜視図である。
【図４】光磁気ディスクカートリッジの挿入開始直後の光磁気ディスク装置の平面図である。
【図５】光磁気ディスクカートリッジの挿入完了状態の光磁気ディスク装置の平面図である。
【図６】本発明実施形態のカートリッジホルダ平面図である。
【図７】図７（Ａ）はカートリッジホルダの正面図であり、図７（Ｂ）はカートリッジホルダの左側面図である。
【図８】カートリッジ押さえバネを示す斜視図である。
【図９】図９（Ａ）はカートリッジ装填時の作用説明図であり、図９（Ｂ）はカートリッジ排出時の作用説明である。
【図１０】図１０（Ａ）及び図１０（Ｂ）はカートリッジ押さえバネの他の実施形態を示す図である。
【符号の説明】
１４  光磁気ディスクカートリッジ
３２  ベース
３４  カートリッジホルダ
５４  ガイド溝
６８，８２  カートリッジ押さえバネ
７２，８６  ピン
７４，７６，８８，９０  突起
【図１】
0003773699.tif 000002
【図２】
0003773699.tif 000003
【図３】
0003773699.tif 000004
【図４】
0003773699.tif 000005
【図５】
0003773699.tif 000006
【図６】
0003773699.tif 000007
【図７】
0003773699.tif 000008
【図８】
0003773699.tif 000009
【図９】
0003773699.tif 000010
【図１０】
0003773699.tif 000011